(57)【要約】【課題】  使用時と収納時で形態を変化させ、この形態の変化にともなって、前記スクリーンセーバの動作を制御する生体認証装置を提供する。【解決手段】  光源部１１１を備えた第１本体１１０と、撮影部１２１を備えた第２本体１２０と、第１の状態では前記光源部１１１と前記撮影部１２１とを所定の間隔で保持し、第２の状態では前記光源部１１１と前記撮影部１２１とを前記第１本体１１０と前記第２本体１２０との間に隠蔽させるように前記第２本体１２０に対して前記第１本体１１０を可動可能に連結する連結部１５０と、前記第２の状態でスクリーンセーバ駆動信号を出力する駆動信号発生部１６０とを備えるようにする。【選択図】  図１
2008077259.tif 000002
【特許請求の範囲】
【請求項１】
光源部を備えた第１本体と、撮影部を備えた第２本体と、第１の状態では前記光源部と前記撮影部とを所定の間隔で保持し、第２の状態では前記光源部と前記撮影部とを前記第１本体と前記第２本体との間に隠蔽させるように前記第２本体に対して前記第１本体を可動可能に連結する連結部と、前記第２の状態でスクリーンセーバ駆動信号を出力する駆動信号発生部とを備えた
ことを特徴とする生体認証装置。
【請求項２】
前記請求項１記載の生体認証装置において、
前記第１本体は前記第２本体の上方に配置されて、その底面に前記光源部が配置され、
前記第２本体は、その上面に前記撮影部の撮影窓を備え、
前記連結部は、前記第１本体の底面の両側に形成される一対の支柱部と、前記第２本体の上面に形成される前記支柱部を出没可能に収納する収納部と、前記第１または第２の状態を保持するロック手段とを備えている
ことを特徴とする生体認証装置。
【請求項３】
前記請求項１記載の生体認証装置において、
前記連結部は、前記第２本体に対して前記第１本体を折りたたみ可能に連結する
ことを特徴とする生体認証装置。
【請求項４】
各種の情報を表示する表示装置と、各種の情報を格納した記憶装置と、ネットワークに接続する通信装置と、生体認証装置と、制御装置とを備えた情報処理装置であって、
前記生体認証装置は、光源部を備えた第１本体と、撮影部を備えた第２本体と、第１の状態では前記光源部と前記撮影部とを所定の間隔で保持し、第２の状態では前記光源部と前記撮影部とを前記第１本体と前記第２本体との間に隠蔽させるように前記第２本体に対して前記第１本体を可動可能に連結する連結部と、前記第２の状態でスクリーンセーバ駆動信号を出力する駆動信号発生部とを備え、
前記制御部は、前記スクリーンセーバ駆動信号を受け付けると、前記表示装置の表示画面に予め設定される画面情報を表示する
ことを特徴とする情報処理装置。
【請求項５】
前記請求項４記載の情報処理装置において、
前記第１本体は前記第２本体の上方に配置されて、その底面に前記光源部が配置され、
前記第２本体は、その上面に前記撮影部の撮影窓を備え、
前記連結部は、前記第１本体の底面の両側に形成される一対の支柱部と、前記第２本体の上面に形成される前記支柱部を出没可能に収納する収納部と、前記第１または第２の状態を保持するロック手段とを備えている
ことを特徴とする情報処理装置。
【請求項６】
前記請求項４記載の情報処理装置において、
前記連結部は、前記第２本体に対して前記第１本体を折りたたみ可能に連結する
ことを特徴とする情報処理装置。
【発明の詳細な説明】
【技術分野】
【０００１】
本発明は、各種の情報処理装置に接続されて、この情報処理装置の使用権限を認証する生体認証装置及びこの生体認証装置を備えた情報処理装置に関するものである。
【背景技術】
【０００２】
近年、情報漏えいに関する問題が重視され、重要なデータを格納した情報処理装置の使用権限の認証装置が脚光を浴びている。従来は、情報処理装置の使用に際し、パスワードを設定し、このパスワードの認証により、当該情報処理装置を使用可能とすることが一般的であったが、近年では、指紋認証や指静脈認証などの生体情報を用いた認証装置が主流となっている。更に、これら生体認証装置は小型化され、情報処理装置とＵＳＢ接続されるなどして外部接続される携帯型の生体認証装置も提案されている。
【０００３】
例えば、情報処理装置とＵＳＢ接続にて接続される従来の指静脈認証装置では、扁平な本体の上面に指を置くための突起するガイドを設け、このガイドに指を置くことで、ガイド内部から光を当て、その反射光を内部カメラで撮影して、その信号を情報処理装置に送信し、該撮影した画像の解析情報と、予め登録してある解析情報を一致するか否かで認証を行っている。
【０００４】
一方、情報処理装置では、駆動中に所定時間経過すると、表示画面上に他の情報を表示するスクリーンセーバの技術がある。このスクリーンセーバは、本来、表示装置の焼付け防止として開発されたものであるが、近年、このスクリーンセーバを解除するに際し、パスワードを設定することにより、使用者の離籍中の情報漏えいを未然に防ぐようにしている。
【０００５】
【特許文献１】特開２０００−２００１１３号公報
【特許文献２】特開２００２−８３２９８号公報
【特許文献３】特開２００６−９９４９３号公報
【発明の開示】
【発明が解決しようとする課題】
【０００６】
前記スクリーンセーバを解除するために、前記パスワードに代えて、生体認証装置を用いたり、あるいは、パスワードと生体認証を併用することで、離席中の他人の使用をできなくすることが可能である。
【０００７】
しかしながら、前記スクリーンセーバでは、操作されない時間をカウントし、この時間が予め設定された時間を経過すると起動するようになっている。このため、使用者が離籍してから所定時間経過するまでは、他の人が、この情報処理装置を使用することができるという課題がある。
【０００８】
一方、従来の生体認証装置では、指を置く撮影面が露出しているために、この撮影面にごみ等が付着したり、あるいは、携帯時に損傷しやすい課題がある。特に、光源と受光部との間に指や手などを挿入して、当該指や手などの生体情報を取得する生体認証装置では、装置が大きくなり携帯性に課題がある。
【０００９】
そこで、この発明の目的とするころは、使用時と収納時で形態を変化させ、この形態の変化にともなって、前記スクリーンセーバの動作を制御する生体認証装置を提供することにある。
【課題を解決するための手段】
【００１０】
本発明は、前記目的を達成するために、光源部を備えた第１本体と、撮影部を備えた第２本体と、第１の状態では前記光源部と前記撮影部とを所定の間隔で保持し、第２の状態では前記光源部と前記撮影部とを前記第１本体と前記第２本体との間に隠蔽させるように前記第２本体に対して前記第１本体を可動可能に連結する連結部と、前記第２の状態でスクリーンセーバ駆動信号を出力する駆動信号発生部とを備えるようにする。
【発明の効果】
【００１１】
本発明によれば、使用状態では光源と撮影装置とが指や手などの挿入するための空間が形成されるので認証がしやすくなり、収納状態ではこれら光源と撮影装置が２つの本体内にコンパクトに収納されるので携帯性を向上することができるとともに、この収納状態となる形態の変化にともなってスクリーンセーバが起動されるので離籍中の情報漏えいを防止することができる。
【発明を実施するための最良の形態】
【００１２】
以下、図１から図１５を参照して、この発明に係る生体認証装置を詳細に説明する。ここで、図１から図７が第１の実施の形態を示し、図８から図１０が第２の実施形態を示し、図１１から図１３が第３の実施の形態を示し、図１４と図１５が第４の実施の形態を示している。
【００１３】
なお、同一の部位や方向などは同一符号を持って示し、重複した説明を省略する。
（第１の実施の形態）
図１から図７は、第１の実施の形態に係る生体認証装置を示している。ここで、図１は、この認証システム全体を現すシステム構成図である。図２は生体認証を接続した情報処理装置のブロック図である。図３と図４は生体認証装置の外観図であり、図３の（ａ）図が使用状態の平面図、（ｂ）図が使用状態の正面図、（ｃ）図が使用状態の側面図、（ｄ）図が収納状態の側面図を示している。また、図４の（ａ）図が使用状態の斜視図、（ｂ）図は収納状態の斜視図、（ｃ）図は指を挿入した状態の使用状態図である。更に、図５、図６は情報処理装置の動作フロー図である。図７は動作中の表示画面を示している。
【００１４】
先ず、図１を参照して、生体認証装置を用いた認証認証システムの概略構成を説明する。図１において、この認証システムでは、情報処理装置１Ａと、この情報処理装置１Ａとコードを介して接続される生体認証装置１００と、前記情報処理装置１Ａとネットワーク５０を介して接続される会社サーバ５１や自宅サーバ５２などの複数のサーバから構成される。
【００１５】
前記情報処理装置１Ａは、制御部や記憶部などを備えた情報処理装置本体２と、この情報処理本体２に接続される表示部３とキーボード４及びマウス５などを含んで構成される。この情報処理装置１Ａはネットワーク５０を介して前記会社サーバ５１や自宅サーバ５２などと接続して各種の情報を前記表示部３に表示して各種の処理を実行することができる。ここでは、この情報処理装置１Ａを各種の装置が分離したデスクトップで説明するが、ノート型の情報処理装置でも適用することができる。
【００１６】
そして、この認証システムの大きな特徴の１つは、使用状態と収納状態（不使用状態）とで形態を変化させる生体認証装置１００を、前記情報処理装置１Ａの使用許可を与える認証装置に採用した点である。この生体認証装置１００は、光源部１１１を備えた第１本体１１０と、撮影部１２１を備えた第２本体１２０と、使用状態では前記光源部１１１と前記撮影部１２１とを所定の間隔で保持し、収納状態では前記光源１１１と前記撮影部１２１とを第１本体１１０と第２本体１２０との間に隠蔽させる連結部１５０とを備えている。
【００１７】
この実施の形態では、指血管パターンを図形情報として取得して認証を行う指静脈認証方式を採用した生体認証装置１００を採用している。即ち、前記光源部１１１と前記撮影部１２１との間に指を挿入し、この指を透過する前記光源部１１１の光を前記撮影部１２１で取得することにより、前記指の血管パターンを図形情報として取得し、この図形情報を前記情報処理装置１Ａに予め登録されている使用者の図形情報と照合することで認証を行うものである。
【００１８】
この実施の形態では、前記第１本体１１０を１対の支柱部１５１で保持し、この支柱部１５１を矢印方向に上下スライドさせて第２本体１２０内に収納することが可能な前記連結部１５０とすることで、使用状態にあっては、前記第１本体１１０（光源部１１１）と第２本体１２０（撮影部１２１）との間に指を挿入する空間を確保し、収納状態では前記支柱部１５１を第２本体１２０内に収納したコンパクトな形態に変化させるとともに、前記前記第１本体１１０と第２本体１２０との間に光源部１１と撮影部１２１とを隠蔽することができる。
【００１９】
また、この認証システムの他の大きな特徴の１つは、前記使用状態から収納状態への形態の変化にともなってスクリーンセーバ駆動信号を出力する図示しない駆動信号発生部（図２に示すスイッチ１６０）を備えた点である。この情報処理装置１Ａは、所定時間経過したら表示画面に予め設定した画面情報を表示するスクリーンセーバを設定することができる。そして、更に、前記駆動信号発生部を備えることにより、前記使用状態から収納状態への形態の変化にともなってスクリーンセーバを駆動させることができるので、離席する際や、任意のときにスクリーンセーバを駆動させることができる。
【００２０】
また、この認証システムの他の大きな特徴の１つは、生体認証時に予め設定しておいた会社サーバ５１や自宅サーバ５２のアドレスの選択を行って、この選択に基づいて、前記選択されたサーバに簡単にアクセスすることができる。
【００２１】
以下、図２から図７を参照して、この実施の形態に係る生体認証装置が接続される情報処理装置を更に詳細に説明する。
【００２２】
図２において、この実施の形態では、情報処理装置１Ａと前記生体認証装置１００とをＵＳＢ端子にて接続することで両装置との電源と情報を共有することができる。前記情報処理装置１Ａは、各種の情報を格納する記憶部６と、各種の情報を表示する表示部３と、ネットワーク５０と接続するための通信部７と、キーボード４やマウス５とで構成される入力部８と、この情報処理装置１Ａを統括的に制御する制御部９とを含んで構成される。
【００２３】
前記生体認証装置１００は、その内部に光源部１１１と撮影部１２１（カメラ）とスイッチ１６０（駆動信号発生部）と干渉フィルタ１２２と画像処理部１２３等を備え、光源部１１１と撮影部１２１との間に、指を挿入することで、干渉フィルタ１２２を介して指静脈情報の画像信号を取得することができる。この指静脈情報は指血管パターンを図形情報として取得する。指静脈情報の代わりに、手のひら静脈情報や、その他の生体情報を用いることが可能な場合には、それらを用いてもよい。
【００２４】
前記撮影部１２１の画像信号は、画像処理部１２３によってデジタル情報に変換され、情報処理装置１Ａの入出力インタフェース１２４を介して前記記憶部６に格納される。更には、スイッチ１６０も同様に入出力インタフェース１２４を介して接続され、オン／オフの状態が前記記憶部６に格納されるか、もしくは、オフになると同時に前記制御部９に対して割り込み信号を発生する。
【００２５】
なお、本実施形態では、生体認証装置１００を構成する生体情報読取部で指の静脈を読み取って認証に用いるものであるため、手のひらの静脈を読み取って認証に用いる場合と比較して、認証情報の容量が小さく、認証速度が速く、しかも、認証装置が小型で使い勝手がよいものである。
【００２６】
前記制御部９は、この情報処理装置１Ａの起動時及びスクリーンセーバの解除時及び各種プログラム中で認証が必要な場合に認証を行うソフトウェアプログラムを起動し実行する。そして、プログラムの処理結果に基づき、その結果を、前記表示部に表示したり、あるいは認証結果に基づいた所定の処理を実行する。
【００２７】
また、この実施の形態では、制御部９が前記生体認証装置１００から割り込み信号を受信すると、スクリーンセーバのプログラムを実行する。これにより、使用者は、前記第１本体１１０の押し込み動作を行うだけで、任意の希望する時にスクリーンセーバを起動することができる。
【００２８】
次に、図３と図４を参照して、この実施の形態に係る、生体認証装置１００の外観構造を説明する。
この実施の形態では、生体認証装置１００全体を前後に丸みがあり、上方に向かった先細りの丸みを基調とした外観形状としている。この外観を実現するために、第２本体１２０の平面形状を、その前後面が円弧で形成される前後方向に奥行きのある楕円形状とし、その周側面は下方に開いた傾斜面で形成している。一方、第１本体１１０は、前記第２本体１２０より一回り小さい平面形状を備えた薄い板状に形成され、その下面の両側やや後方に、下方に延びる一対の支柱部１５１を備えている。この第１本体１１０の底面の中央には前後方向に直線状に配列される光源部１１１が配置される。この光源部１１１は複数のＬＥＤ光源から構成されるものである。一方、前記第２本体１２０の上面には、指を所定の位置にセットするためのガイド１２５が突出して設けられている。図３の（ａ）（ｂ）図に示すように、このガイド１２５の中央は開口しており、その開口部に干渉フィルタ１２２が配置され、この干渉フィルタ１２２の下部に斜めに配置される反射板１２６が設けられ、この反射板１２６と対向する位置に撮影部１２１が配置される。したがって、光源部１１１から照射された光は指と干渉フィルタ１２２を通過した後、反射板１２６で屈折して撮影部１２１に取り込まれる。
【００２９】
（ｂ）図に示すように、この実施の形態では、指を第１本体１１０と第２本体１２０と一対の支柱部１５１で構成されるトンネル状の開口部に挿入する方式としている。このトンネル状の開口部に指を挿入する方式は、周囲から外光を遮蔽する精度的なメリットを備えている反面、開口部に指を挿入するため、使用者に心理的な不安を抱かせる課題がある。そこで、この実施の形態では、前記一対の支柱部１５１を中央やや後方の位置に設けて、その前部を大きく、その後方をやや小さめに開放することにより、前記撮影精度を維持しつつ、使用者の不安を軽減している。即ち、この構造によれば、指を挿入する前面が大きく開口し、挿入した指の先端を後方の開口部を介して望むことができるので、使用者の不安感が軽減される。一方、認証を行う計測部位である指の中間部分は両側の支柱部１５１によってカバーされるので撮影精度を向上させることができる。
【００３０】
なお、指のセット位置を案内するガイド１２５は前部ガイド１２５Ａと後部ガイド１２５Ｂが分離可能に取り付けられており、上面の指案内のための凹部形状が異なる他の同種部材と交換することができる。これにより、指の大きさの異なる子供や大人の使用者に対応することができる。
【００３１】
また、前記第２本体１２０の前記一対の支柱部１５１に対応する位置には前記支柱部１５１を収納するための図示しない凹部が形成される。この凹部は前記支柱部１５１を上下方向に移動させる案内レールの機能を備えており、また、支柱部１５１がこの凹部の最上部に常に維持するように作用する図示しないバネと、支柱部１５１が最上部の位置以上に移動しないように作用する図示しない外れ防止手段、及び支柱部１５１が最下部に位置した際に、その最下部の位置を維持させる図示しないロック手段を備えている。前記ロック手段は、最下部に一度押し込むと、この最下部からやや上方位置で支柱部１５１をロックし、このややゆとりのある範囲で再度押し込むと前記ロック状態を解除する公知のロック手段を採用している。
【００３２】
なお、図３において、第１本体１１０の上面には、動作中に点燈する動作確認ランプ１１２が配置されている。この動作確認ランプ１１２は、待機中と読み取り中、及び、再読み取りなどの状態を色や点滅などを変化させることで使用者に知らせることができる。
【００３３】
次に、図５及び図６の動作フロー図を基に、図７の表示画面の遷移を参照しながら、この生体認証装置が接続される情報処理装置の動作フローを説明する。
【００３４】
図５において、制御部９は、情報処理装置１Ａの電源が投入されるとＯＳを起動し（ステップ３００）、そして予めこの情報処理装置１Ａにインストールされた認証プログラムを起動する（ステップ３０２）認証プログラムが起動すると、制御部９は前記生体認証装置１００に対して起動命令の信号を発信して、前記生体認証装置１００のスイッチ１６０がオン状態であって、前記第１本体が引き上げられて使用状態か否かを検知する。前記スイッチ１６０は使用状態ではオン信号を発信し、収納状態ではオフ信号を発信する。制御部９はオフ信号を受信すると表示部の表示画面に図７の（ａ）図に示すように、「指認証をＯＮ状態としてください」とのガイダンスを表示する（ステップ３１８）。
【００３５】
一方、制御部９はオン信号を受信すると、図９の（ｂ）図に示すように、「認証を行ってください」との認証を促すガイダンスを表示して、光源部１１１を点燈して待機状態となる（ステップ３０６）。そして、認証対象物（指）があるか否かを監視し（ステップ３０８）、指が挿入されると認証作業を開始するとともに、表示画面に、図９の（ｃ）図に示すように、「認証中」とのガイダンスを表示する（ステップ３１０）。制御部９は、撮影された画像と予め前記記憶装置６に格納された認証情報とが一致するか否かを判定し（ステップ３１２）、２つの情報が不一致であれば、図９の（ｄ）図に示す再認証を促す「再度認証を行ってください」とのガイダンスを表示し（ステップ３２０）、２つの情報が一致すれば、起動モードを選択する図９の（ｅ）図に示すアクセスモードの選択を促すガイダンスを表示する（ステップ３１６）。
【００３６】
このステップ３１６において、制御部９は「このＰＣを起動させる」が選択されると、この情報処理装置１Ａのデスクトップ画面を表示し（ステップ３１６）、会社サーバまたは自宅サーバが選択されれば、当サーバにアクセスするように動作する（ステップ３２２）。
【００３７】
この実施の形態では、前記記憶部６に会社サーバ、または自宅サーバのアドレスを格納しており、前記２つのサーバの１つが選択されると、前記制御部９は記憶部６から選択されたサーバのアドレスを呼び出して、前記認証された生体情報とともに当該選択されたサーバにアクセスを行うとともに、この情報処理装置１Ａを起動させる。この認証フローによれば、他のサーバにアクセスするに際し、一端この情報処理装置１Ａを起動させて、更に、アクセスするサーバのアドレスを選択するなどのステップを省略することができるので簡単である。
【００３８】
また、この情報処理装置１Ａは、デスクトップ画面が表示され、他のプログラムが起動した状態では、常に、入力部８からの信号と前記生体認証装置１００からの閉鎖信号（オフ）信号を監視している（ステップ３５０）。この監視状態では、入力部８からの操作信号が一定時間経過してもない場合、あるいは、前記生体認証装置１００の第１本体１２０が押し込まれてスイッチ１６０がオフ信号（閉鎖信号）が発信されたか否かを監視している。
【００３９】
制御部９は、入力部８からの操作信号が一定時間経過してもない場合、またはオフ信号（閉鎖信号）を受信した場合、スクリーンセーバを起動させる（ステップ３５２）。そして、制御部９は、入力部８を介して操作信号が成された否か、または前記生体認証装置１００の第１本体１１０が引き上げられてスイッチ１６０からのオン信号（開放信号）が発信されたか否かを監視している（ステップ３５４）。そして、制御部９は、前記入力部８を介して操作信号が成された場合、または、スイッチ１６０からのオン信号を受信した場合は認証プログラムを起動させ（ステップ３０２）、前記図５と同じ動作フローを実行する。
【００４０】
このように、この実施の形態によれば、生体認証装置の形態を変化させることでもスクリーンセーバを起動させることができるので、使用者が離席する場合、あるいは、秘密情報を作成中に面接者が来た場合などの急いで、現在表示中の情報を隠したい場合に非常に便利である。そして、再開するに当たっては、通常のスクリーンセーバの解除と同じ手順で作業を行うことができるので、取り扱いが容易である。
（第２の実施の形態）
次に、図８から図１０を参照して、第２の実施の形態に係る生体認証装置１００Ｂを詳細に説明する。図８は使用状態の外観図を示したものであり、（ａ）図が平面図、（ｂ）図が正面図、（ｃ）図が左側面図、（ｄ）図が右側面図、（ｅ）図が背面図、（ｆ）図が（ｂ）図のＶＶ断面図である。図９は、収納状態の外観図であり、（ａ）図が平面図、（ｂ）図が底面図、（ｃ）図が正面図、（ｄ）図が右側面図、（ｅ）図が背面図、（ｆ）図がＶＶ断面図を示している。図１０の（ａ）図が収納状態の斜視図、（ｂ）図が使用状態の斜視図、（ｃ）図が指を置いた状態の正面図、（ｄ）図が指を置いた状態の斜視図である。
【００４１】
図において、この実施の形態では、撮影部１２１を備えた第２本体１２０Ｂに対して、光源部１１１を備えた第１本体１１０Ｂが回転連結部１５４を介して折りたたみ可能としたものである。前記第２本体１２０Ｂは、横幅に対して奥行きが長い平面形状をほぼ四角形とする比率を備えている。この第２本体１２０Ｂの上面の中央には、前記干渉フィルタ１２２を備えた受光窓１２７が設けられ、その一方の片側には前記回転連結部１５４が設けられ、他方の片側には第１本体１１０Ｂを嵌合するための切欠部１２８が形成されている。また、前記切欠部１２８と受光窓１２７との間には指のガイド機能及び第１本体１１０Ｂの収納時のロック状態を確保する突起部１２９が設けられている。
【００４２】
一方、前記第１本体１１０Ｂは、片側が前記回転連結部１５４に取り付けられ、他の片側が鍵形状に屈曲して形成され、この屈曲部１１３の内側に前記光源部１１１が前後方向に配列されている。この第１本体１１０Ｂは、図８に示すように、前記回転連結部１５４により、使用状態では、垂直に保持され、前記光源部１１１が下方に向くように保持される。
【００４３】
ここで、前記回転連結部１５４は、その回転軸が図示しないバネを介して周囲方向に移動可能に設けられている。このため、屈曲部１１３を備えた第１本体１１０Ｂを折りたたむ際に、前記回転軸が前後方向に移動するため、この第１本体１１０Ｂを折りたたむことができる。
【００４４】
この使用状態から、図９のように、第１本体１１０Ｂを折りたたむことで、この第１本体１１０Ｂが前記第２本体１２０Ｂの上面全体を覆うことで前記受光窓１２７を隠蔽し、かつ、前記屈曲部１１３が切欠部１２８に嵌合することで前記光源部１１１が隠蔽される。この収納状態では、図８（ｂ）（ｆ）図に示すように、突起部１２９が、この突起部１２９と対応する第１本体１１０Ｂに形成される凹部１１４と嵌合するので、収納状態を保持することができる。
【００４５】
この実施の形態では、第１本体１１０Ｂの平面形状を前記第２本体１２０Ｂの平面形状と同じ大きさに設定しているので、収納状態では、全体の大きさが箱型を成す収納性に適した形状とすることができる。ここで、第２本体１２０Ｂの裏面には情報処理装置１Ａと接続するためのＵＳＢコネクタ１３０が設けられている。
【００４６】
図１０において、この実施の形態では、前記受光窓１２７に干渉フィルタ１２２が設けられ、その内部に撮影部１２１や反射板１２６などが第１の実施の形態と同様に設けられている。また、使用状態で下方に向く屈曲部１１３には光源部１１１が奥行き方向に設けられている。
【００４７】
この実施の形態では、図１０の（ｃ）（ｄ）図に示すように、指を手前から後方に向かって挿入する。つまり、前記回転連結部１５４と前記突起部１２９に指をセットする。これにより、上方に配置した光源部１１１からの光を、指を通過させて、前記受光窓１２７で受けることができる。この際、片側を前記第１本体１１０Ｂで外光を遮蔽し、他の片側を突起部１２９でその一部の外光を遮蔽することができるので、性能面で有利であるとともに、一方の片側が開放されているので、使用者の不安感を軽減できる。そして、収納状態では、コンパクトな箱型に収納されるので、携帯性に便利である。
【００４８】
（第３の実施の形態）
次に、図１１から図１３を参照して、第３の実施の形態に係る生体認証装置１００Ｃを詳細に説明する。図１１は使用状態の外観図を示したものであり、（ａ）図が正面図、（ｂ）図が右側面図、（ｃ）図が平面図、（ｄ）図が背面図、（ｅ）図が（ａ）図のＸＸ断面図、（ｆ）図が（ａ）図のＶＶ断面図である。図１２は、収納状態の外観図であり、（ａ）図が平面図、（ｂ）図が底面図、（ｃ）図が正面図、（ｄ）図が背面図、（ｅ）図が右側面図である。ここで左側面図は右側面図と対象につき省略している。図１３の（ａ）図が収納状態の斜視図、（ｂ）図が使用状態の斜視図、（ｃ）図が指を置いた状態の正面図、（ｄ）図が指を置いた状態の斜視図である。
【００４９】
図において、この実施の形態では、撮影部１２１を備えた第２本体１２０Ｃに対して、光源部１１１を備えた第１本体１１０Ｃが回転連結部１５４を介して折りたたみ可能としたものである。ここで、前記第２の実施の形態と違うのは、前記回転連結部１５４が第２本体１２０Ｃの後方に配置され、第１本体１１０Ｃを手前に折りたたむ構造を備えた点である。
【００５０】
第２本体１２０Ｃは、奥行き方向に長い箱型の形状を備え、その上面には受光窓１２７が配置され、その後端部に前記回転連結部１５４がこの受光窓１２７を備えた上面より隆起させて設けられている。一方、前記第１本体の１１０Ｃ一端は前記回転連結部１５４に取り付けられ、他の片側が鍵形状に屈曲して形成され、この屈曲部１１３の内側に前記光源部１１１が前後方向に配列されている。この第１本体１１０Ｃは、図１１に示すように、前記回転連結部１５４により、使用状態では、垂直に保持され、前記光源部１１１が下方に向くように保持される。
【００５１】
ここで、前記回転連結部１５４は、その回転軸が図示しないバネを介して周囲方向に移動可能に設けられている。このため、屈曲部１１３を備えた第１本体１１０Ｂを折りたたむ際に、前記回転軸が前後方向に移動するため、この第１本体１１０Ｂを折りたたむことができる。
【００５２】
また、前記回転連結部１５４の中央は、凹状に形成され、この凹部１５５に隣接する第１本体１１０Ｃの端部には開口部１１５が形成される。凹部１５５は、指の先端を保持するためのガイドであり、前記開口部１１５は、凹部１５５に指の先端をセットした際に、その指の先端部を逃がすための機能を果たすものである。一方、前記第２本体１２０Ｃの上面前部には、指の根元を位置決めする凹部１３１が形成される。このように、この実施の形態では、前記受光窓１２７の前後部に前記凹部１３１と前記凹部１５５を形成することにより、指の位置決めが容易である。
【００５３】
また、図１１の（ｆ）図に示すように、この実施の形態では、光源部を屈曲部の両側に一対設けている。
【００５４】
この使用状態から、図１２のように、第１本体１１０Ｃを折りたたむことで、この第１本体１１０Ｃが前記第２本体１２０Ｂの上面全体を覆うことで前記受光窓１２７を隠蔽し、かつ、前記屈曲部１１３が前記第２本体１２０Ｂの正面部を覆うことで前記光源部１１１が隠蔽される。
【００５５】
この実施の形態では、第１本体１１０Ｃの平面形状を前記第２本体１２０Ｃの平面形状と同じ大きさに設定しているので、収納状態では、全体の大きさが箱型を成す収納性に適した形状とすることができる。ここで、第２本体１２０Ｃの裏面には情報処理装置１Ａと接続するためのＵＳＢコネクタ１３０が設けられている。
【００５６】
図１３において、この実施の形態では、前記受光窓１２７に干渉フィルタ１２２が設けられ、その内部に撮影部１２１や反射板１２６などが第１の実施の形態と同様に設けられている。また、使用状態で下方に向く屈曲部１１３には光源部１１１が奥行き方向に設けられている。
【００５７】
この実施の形態では、図１３の（ｃ）（ｄ）図に示すように、指を手前から後方に向かって挿入する。つまり、前記開口部１１５に指の先端を挿入して、この指の指先が前記凹部１５５に合うように指の位置決めを行うことで、指を所定の位置に合わせることができる。
これにより、上方に配置した光源分１１１からの光を、指を通過させて、前記受光窓１２７で受けることができる。この際、前方からの外光が第１本体１１０Ｃを介して遮蔽することができるので、性能面で有利であるとともに、前方のその両側を大きく開放することができるので、使用者の不安感を軽減できる。そして、収納状態では、コンパクトな箱型に収納されるので、形態性に便利である。
【００５８】
（第４の実施の形態）
次に、図１４と図１５を参照して、第４の実施の形態を説明する。図１４は生体認証装置を接続した情報処理装置の装置ブロック図である。図１５は、生体認証装置と情報処理装置との連携動作の動作フロー図である。この実施の形態は、生体認証装置１００Ｄに、この生体認証装置１００Ｄを制御する認証制御部１６２と、会社サーバ１５１や自宅サーバ１５２のアドレスやパスワード及び関連する認証データを格納するメモリ１６１を備えた点である。
【００５９】
この認証制御部１６２と情報処理装置１Ａの制御部９との連携動作を図１５に基づいて更に説明する。図１５において、制御部９は、情報処理装置１Ａの電源が投入されるとＯＳを起動し（ステップ３７０）、そして予めこの情報処理装置１Ａにインストールされた認証プログラムを起動する（ステップ３７２）認証プログラムが起動すると、制御部９は前記生体認証装置１００Ｄに対して起動命令を発信し、準備完了信号情報の受信を監視し（ステップ２７４）、準備完了信号が所定時間内に受信しないと開放ガイダンス表示を表示部３に行う（ステップ２７５）。
【００６０】
この実施の形態に係る前記認証制御部１６２は、前記スイッチ１６０がオン状態（使用状態）の時に起動し、前記スイッチ１６０がオフ状態（収納状態）の時に起動しない。このため、前記認証制御部１６２がオン状態の時に、前記起動命令を受けると準備完了信号情報とともに認証ガイダンス表示の情報をメモリ１６１から読み出して前記制御部９に提供する。制御部９はこの情報に基づいて認証ガイダンス表示を表示部３に行う。
【００６１】
認証制御部１６２は、認証対象物（指）が挿入されたか否かを監視し（ステップ２８４）、認証対象物（指）の検知を開始すると、メモリ１６１から認証中のガイダンス情報を読み出して前記制御部９に提供する（２８６）。制御部９はこの情報に基づいて認証中のガイダンス表示を表示部３に行う。
【００６２】
認証制御部１６２は撮影された認証データが予め前記メモリ１６１に格納されたデータと一致するか否かを判定し（ステップ２８８）、認証不可であれば、前記メモリ１６１から再認証ガイダンス表示情報を呼び出して制御部９に提供する（ステップ２９１）。制御部９はこの情報に基づいて再認証のガイダンス表示を表示部３に行う。
【００６３】
認証制御部１６２は、認証可の場合、メモリ１６１からモード選択情報の画面データを呼び出して制御部９に提供する。制御部９はこの情報に基づいてモード選択画面を表示し、デスクトップが選択されるか否かを監視する（ステップ２７６）。制御部９は、デスクトップが選択されると、表示部３にデスクトップ画面を表示し（ステップ２７８）、デスクトップ以外が選択されると、選択されたサーバのアドレス情報の提供を認証制御部１６２に要求する。この要求を受けた認証制御部１６２はメモリ１６１から対応するサーバのアドレスと認証関連データを含めて制御部９に提供する（ステップ２９２）。制御部９はこの情報に基づいて対応するサーバにアクセスを行う（ステップ２８０）。
【００６４】
このように、この実施の形態では、認証と認証に関連する処理を認証制御部１６２で行い、他の処理を制御部９で行うことで、２つの制御部が連携して認証処理を実行する。また、この実施の形態では、図６の処理も第１の実施の形態と同様に行うことができる。この実施の形態によれば、ＵＳＢ接続される生体認証装置１１０Ｄで認証に関する処理を独自に行うことができるので、情報処理装置１Ａを選ばないで、情報処理装置を認証することができる。したがって、記憶装置を備えない情報処理装置であって、通信回線を介してサーバにアクセスして各種の処理を実行する情報処理装置の認証装置に有効である。
【００６５】
前記第１の実施の形態から第４の実施の形態では、２つの本体を可動可能に連結して、この２つの本体の形態の変化にともなってスクリーンセーバの駆動信号を出力するようにしているが、２つの本体を可動可能に連結することなく、スクリーンセーバを駆動させるスイッチを生体認証装置に備えるようにしてもよい。
【００６６】
また、図５で説明した動作フローではステップ３１４とステップ３２２を行うようにしているが、これを行うことなく認証が承認された際にデスクトップ画面を表示するようにしても良い。
【図面の簡単な説明】
【００６７】
【図１】第１の実施の形態に係る認証システム全体を現すシステム構成図である。
【図２】第１の実施の形態に係る生体認証を接続した情報処理装置のブロック図である。
【図３】第１の実施の形態に係る生体認証装置の外観図である。
【図４】第１の実施の形態に係る生体認証装置の外観図である。
【図５】第１の実施の形態に係る情報処理装置の動作フロー図である。
【図６】第１の実施の形態に係る情報処理装置の動作フロー図である。
【図７】第１の実施の形態に係る動作中の表示画面図である。
【図８】第２の実施の形態に係る生体認証装置の外観図である。
【図９】第２の実施の形態に係る生体認証装置の外観図である。
【図１０】第２の実施の形態に係る生体認証装置の外観図である。
【図１１】第３の実施の形態に係る生体認証装置の外観図である。
【図１２】第３の実施の形態に係る生体認証装置の外観図である。
【図１３】第３の実施の形態に係る生体認証装置の外観図である。
【図１４】第４の実施の形態に係る生体認証を接続した情報処理装置のブロック図である。
【図１５】第４の実施の形態に係る情報処理装置と生体認証装置の動作フロー図である。
【符号の説明】
【００６８】
１…情報処理装置、２…情報処理装置本体、３…表示部、４…キーボード、５…マウス、６…記憶部、７…通信部、８…入力部、９…制御部、５０…ネットワーク、５１…会社サーバ、５２…自宅サーバ、１００…生体認証装置、１１０…第１本体、１１１…光源部、１１２…動作確認ランプ、１１３…屈曲部、１１４…凹部、１１５…開口部、１２０…第２本体、１２１…撮影部、１２２…干渉フィルタ、１２３…画像処理部、１２４…入出力インタフェース、１２５…ガイド、１２５Ａ…前部ガイド、１２５Ｂ…後部ガイド、１２６…反射板、１２７…受光窓、１２８…切欠部、１２９…突起部、１３０…ＵＳＢコネクタ、１５０…連結部、１５１…支柱部、１５４…回転連結部、１５５…凹部、１６０…スイッチ、１６１…メモリ、１６２…認証制御部。
【図１】
2008077259.tif 000003
【図２】
2008077259.tif 000004
【図３】
2008077259.tif 000005
【図４】
2008077259.tif 000006
【図５】
2008077259.tif 000007
【図６】
2008077259.tif 000008
【図７】
2008077259.tif 000009
【図８】
2008077259.tif 000010
【図９】
2008077259.tif 000011
【図１０】
2008077259.tif 000012
【図１１】
2008077259.tif 000013
【図１２】
2008077259.tif 000014
【図１３】
2008077259.tif 000015
【図１４】
2008077259.tif 000016
【図１５】
2008077259.tif 000017